(57)【要約】【課題】  汚水処理槽に水中撹拌機を据え付けるための据付装置において、汚水処理槽内の水を排出しなくても据付装置を設置できるようにし、水中撹拌機の据付作業の全体を容易化する。【解決手段】  据付装置１は、汚水処理槽３の側壁３Ａ，３Ｂの上面に架け渡された第１横梁４と、第１横梁４と交差する第２横梁と、第１横梁４及び第２横梁から下方に延びる支柱１２と、支柱１２の下端部に設けられた支持板１４とを備えている。据付装置１は、汚水処理槽３の水面１３よりも上の部分に固定されている。水中ミキサ２を支柱１２に沿って吊り下げることにより、水中ミキサ２は支持板１４の上に据え付けられる。【選択図】  図１
2005081239.tif 000002
【特許請求の範囲】
【請求項１】
汚水処理槽に水中撹拌機を据え付けるための据付装置であって、
前記汚水処理槽の水面上の箇所に固定された梁と、
前記汚水処理槽の水面下の箇所に固定されずに前記梁につり下げ状態で支持され、水面よりも下方に延びる支柱と、
前記支柱の水面下の箇所に設けられ、前記水中撹拌機を支持する支持部材と、
を備えた水中撹拌機の据付装置。
【請求項２】
前記支柱は、前記水中撹拌機の据え付けの際に前記水中撹拌機と係合することによってその昇降を案内するように構成されている請求項１に記載の水中撹拌機の据付装置。
【請求項３】
前記梁は、前記汚水処理槽の一方の側壁から他方の側壁にわたって架け渡されている請求項１又は２に記載の水中撹拌機の据付装置。
【請求項４】
前記汚水処理槽は、開口が形成された蓋を備え、
前記梁は、前記蓋に固定されている請求項１又は２に記載の水中撹拌機の据付装置。
【請求項５】
前記汚水処理槽は、汚水を循環させる汚水循環式処理槽からなり、
前記水中撹拌機は、水中ミキサからなっている請求項１〜４のいずれか一つに記載の水中撹拌機の据付装置。
【発明の詳細な説明】
【技術分野】
【０００１】
本発明は、水中撹拌機の据付装置に関するものである。
【背景技術】
【０００２】
従来より、下水処理場や貯水場等において、例えばオキシデーションディッチなどの生物学的処理のために、水槽内に水中ミキサを設置し、当該水中ミキサによって汚水を撹拌又は搬送しながら浄化することが行われている。
【０００３】
ところで、水中ミキサには適宜にメンテナンスが必要であり、メンテナンスの際には水中ミキサを水槽内から引き上げなければならない。また、メンテナンス終了後には、水中ミキサを再び水槽内に据え付ける必要がある。そこで、水中ミキサの据付装置として、水中ミキサの昇降を案内する昇降ガイドを備えたものが提案されている（例えば、特許文献１及び２参照）。
【０００４】
図９を参照しながら、昇降ガイドを備えた従来の据付装置の一例を説明する。この据付装置１００は、水槽内において上下方向に延びる支柱１０５と、支柱１０５を水槽の底壁１０１及び側壁１０２に固定する固定金具１０３，１０４とから構成されている。水中ミキサ１１０は、支柱１０５と係合する支持板１１２を備えている。また、水中ミキサ１１０には、チェーン１１１が取り付けられている。
【０００５】
据付装置１００が上記構造を有していることにより、作業者は、支持板１１２を支柱１０５に係合させた状態でチェーン１１１を吊り下げることにより、水中ミキサ１１０を水槽内に容易に据え付けることができる。また、メンテナンスに際しては、チェーン１１１を上方に引っ張ることにより、水中ミキサ１１０を水槽外に容易に引き上げることができる。したがって、水中ミキサ１１０の据え付け及びメンテナンスを容易且つ迅速に行うことが可能となる。
【特許文献１】特開２００２−３４６３５９号公報（第４頁、図７）
【特許文献２】特公平７−４５９６号公報（第４頁、図１）
【発明の開示】
【発明が解決しようとする課題】
【０００６】
しかしながら、上記据付装置１００では、水槽内に水中ミキサ１１０を据え付ける前に、予め水槽の底壁１０１及び側壁１０２に固定金具１０３，１０４を介して支柱１０５を固定しておく必要があった。すなわち、水槽内における支柱１０５の設置工事が必要であった。
【０００７】
ところが、水槽に水１２０が貯まったままでは、水槽内における設置工事は困難である。そのため、水槽内において設置工事を実行するためには、予め水槽内の水１２０を排出し、水槽を空にしておかなければならなかった。したがって、従来の据付装置１００では、水中ミキサ１１０の据付作業自体は簡単化できたとしても、据付装置１００自身の設置工事は面倒且つ時間のかかる作業となっていた。特に、水槽が汚水処理槽の場合、据付装置１００の設置に先立って水槽の清掃作業が必要となる。そのため、据付装置１００の設置作業は、その分だけ手間と時間がかかっていた。したがって、水中ミキサ１１０の据付に際し、据付装置１００の設置作業も含めた全体の作業については、未だ十分に簡単化されているとは言い難かった。なお、このような課題は、水中ミキサに限らず、水中撹拌機の全般について共通する課題である。
【０００８】
本発明は、かかる点に鑑みてなされたものであり、その目的とするところは、据付装置自身の設置作業を容易化し、ひいては水中撹拌機の据付作業の全体を簡単化することにある。
【課題を解決するための手段】
【０００９】
本発明に係る水中撹拌機の据付装置は、汚水処理槽に水中撹拌機を据え付けるための据付装置であって、前記汚水処理槽の水面上の箇所に固定された梁と、前記汚水処理槽の水面下の箇所に固定されずに前記梁につり下げ状態で支持され、水面よりも下方に延びる支柱と、前記支柱の水面下の箇所に設けられ、前記水中撹拌機を支持する支持部材と、を備えたものである。
【００１０】
なお、ここでいう「水面上の箇所」とは、汚水処理槽の水面よりも高い箇所を意味するのであって、水面の真上の箇所に限定されるものではない。
【００１１】
上記据付装置では、汚水処理槽の水面下の箇所に固定具等を設ける必要がないので、水面下における工事は不要となる。そのため、据付装置の設置に際して、汚水処理槽の水を排出する必要はなく、汚水処理槽の清掃作業も不要となる。したがって、据付装置の設置作業は容易になる。
【００１２】
前記支柱は、前記水中撹拌機の据え付けの際に前記水中撹拌機と係合することによってその昇降を案内するように構成されていることが好ましい。
【００１３】
このことにより、水中撹拌機を支柱に沿って降下させるだけで、水中撹拌機を所定の位置に容易に据え付けることができる。このように、上記据付装置によれば、当該据付装置自身の設置作業が容易になるとともに、水中撹拌機を所定の据付位置に容易に据え付けることができる。
【００１４】
前記梁は、前記汚水処理槽の一方の側壁から他方の側壁にわたって架け渡されていてもよい。また、前記汚水処理槽は、開口が形成された蓋を備え、前記梁は前記蓋に固定されていてもよい。
【００１５】
このように、前記梁は種々の態様で設置することができ、本据付装置を種々の形態の汚水処理槽に適用することができる。
【００１６】
前記汚水処理槽は、汚水を循環させる汚水循環式処理槽からなり、前記水中撹拌機は、水中ミキサからなっていてもよい。
【００１７】
このことにより、例えばオキシデーションディッチ法による汚水処理を行う場合等において、据付装置の設置作業の容易化が図られ、ひいては水中ミキサの据付作業の全体が簡単化される。
【発明の効果】
【００１８】
以上のように、本発明によれば、据付装置を設置するための固定具等を汚水処理槽の水面下の箇所に設ける必要がないので、水面下における工事を省略することができる。したがって、据付装置を設置する際に汚水処理槽の汚水を排出する必要がなく、また、汚水処理槽を清掃する必要がないため、据付装置を容易に設置することができる。
【００１９】
また、支柱を水中撹拌機の昇降を案内するように構成することにより、水中撹拌機を支柱に沿って降下させて支持部材上に載置するだけの簡単な作業によって、水中撹拌機を所定の位置に容易に据え付けることができる。したがって、水中撹拌機の据付作業を容易化することができる。
【発明を実施するための最良の形態】
【００２０】
以下、本発明の実施の形態を図面に基づいて詳細に説明する。
【００２１】
図１〜３に示すように、実施形態に係る据付装置１は、水中ミキサ２を汚水処理槽３の内部に据え付けるための装置である。図５に示すように、本実施形態では、汚水処理槽３は汚水を循環させながら浄化するいわゆる循環型の水槽である（なお、図５では据付装置１及び水中ミキサ２の図示は省略している）。汚水処理槽３は、互いに平行に延びる４本の直線状の水路１０と、それら直線状水路１０の端部を接続する湾曲水路１１とから構成されている。本実施形態に係る据付装置１は、直線状水路１０に設置される。ただし、据付装置１の設置箇所は何ら限定されず、据付装置１を湾曲水路１１に設けることも勿論可能である。汚水処理槽３の汚水は水中ミキサ２によって循環され、オキシデーションディッチ法による汚水処理が行われる。
【００２２】
図３及び図４に示すように、据付装置１は、汚水処理槽３の水路１０の一方の側壁３Ａから他方の側壁３Ｂに架け渡された前後一対の第１横梁４と、第１横梁４の間に架け渡された左右一対の第２横梁５とを備えている。第２横梁５は、流路方向から傾斜している。ただし、第２横梁５は第１横梁と交差していればよく、流路方向と平行に延びていてもよいことは勿論である。本実施形態では、汚水処理槽３はコンクリートからなり、第１横梁４及び第２横梁５はステンレスから構成されている。第１横梁４は、汚水処理槽３の側壁３Ａ，３Ｂの上面にアンカーボルト等の固定具（図示せず）によって固定されている。第２横梁５は、第１横梁４の中途部にボルト等の固定具（図示せず）によって固定されている。ただし、汚水処理槽３及び横梁４，５の材料は特に限定されず、上記以外の材料を用いることも可能である。第２横梁５は固定具を用いることなく第１横梁４に接合されていてもよく、第１横梁４と第２横梁５とは一体物であってもよい。第１横梁４又は第２横梁５の本数は２本に限らず、１本でもよく、３本以上であってもよい。
【００２３】
図４に示すように、第１横梁４及び第２横梁５の上側には、汚水処理槽３の流路の上方を部分的に塞ぐ平板６が設けられている。平板６の左右方向の中央部分には、水中ミキサ２よりも大きな開口７が形成されている。平板６の前方には平板８が設けられている。この平板８は、汚水処理槽３の一方の側壁３Ａから他方の側壁３Ｂに架け渡されており、水中ミキサ２の据付又はメンテナンスの際に、作業者の作業スペースを提供する作業台として利用されるものである。後側の第１横梁４の近傍と平板８の前側とには、柵９がそれぞれ設けられている。
【００２４】
図６は、第１横梁４の断面を示している。第１横梁４の上側部分は凹形状に形成されている。すなわち、第１横梁４には、溝状のガイドレール２０が形成されている。前述したように、第１横梁４は水路１０の一方の側壁３Ａから他方の側壁３Ｂに架け渡されているので、ガイドレール２０は、水路１０の全幅にわたって形成されている。
【００２５】
図１及び図２に示すように、第１横梁４及び第２横梁５には、下方に延びる複数の支柱１２が設けられている。支柱１２の下端は汚水処理槽３の底壁３Ｃよりも上方に位置しており、支柱１２と底壁３Ｃとの間には隙間が空いている。ただし、支柱１２は底壁３Ｃに固定されていなければよく、水中ミキサ２の動作を妨げない限り、支柱１２の下端が底壁３Ｃに接触していてもよい。
【００２６】
水中ミキサ２には、支柱１２と係合する断面略コ字状のガイド部材２１が設けられている。作業者が水中ミキサ２を吊り下げる際又は吊り上げる際には、ガイド部材２１が前側の支柱１２と係合し、水中ミキサ２の横方向への揺れが防止される。このように前側の支柱１２は、水中ミキサ２の昇降を案内する昇降レールとしても利用される。
【００２７】
支柱１２の下端部には、支持板１４が取り付けられている。支柱１２に沿って吊り下げられた水中ミキサ２は、この支持板１４上に載せられることによって所定の位置に据え付けられる。
【００２８】
次に、水中ミキサ２の据付作業について説明する。
【００２９】
水中ミキサ２の据付作業にあたっては、水中ミキサ２の搬送及び昇降のために、例えば図７に示すような可搬式の簡易クレーン３０を用いる。簡易クレーン３０は、ドラム３２及びハンドル３４を有するウインチ３８と、ウインチ３８を支持するフレーム３７と、フレーム３７の下部に固定された４本の脚３１と、脚３１の下端に取り付けられたキャスター３３とを備えている。ドラム３２には、ワイヤ３５が巻き付けられている。ただし、ワイヤ３５の代わりに、チェーンやロープ等の他の巻き上げ手段を用いることも可能である。ワイヤ３５の先端には、水中ミキサ２を取り付けるためのシャックル３６が設けられている。
【００３０】
据付作業においては、まず、シャックル３６を水中ミキサ２に取り付け、ハンドル３４を回転させてワイヤ３５を巻き上げることによって、水中ミキサ２を若干持ち上げる。これにより、簡易クレーン３０は水中ミキサ２を保持したまま走行が可能となる。
【００３１】
次に、作業者は簡易クレーン３０を押しながら、キャスター３３を各第１横梁４のガイドレール２０上に載せる。そして、簡易クレーン３０を第１横梁４に沿って走行させ、平板６の開口７の真上の位置にまで移動させる。なお、開口７の真上の位置は、水中ミキサ２の据付位置の真上の位置に相当する。
【００３２】
次に、作業者は、簡易クレーン３０のハンドル３４を回転させ、ワイヤ３５を徐々に吊り下ろす。その結果、水中ミキサ２はゆっくりと下降し、水中ミキサ２のガイド部材２１が支柱１２と係合する。作業者は、その状態のままハンドル３４を更に回転させる。すると、水中ミキサ２は支柱１２に案内されながら更に下降し、支持板１４上に載置される。その結果、水中ミキサ２は所定の据付位置に据え付けられることになる。
【００３３】
その後は、ワイヤ３５をドラム３２から取り外し、ワイヤ３５を汚水処理槽３の所定の箇所に巻き付ける。そして、簡易クレーン３０を第１横梁４のガイドレール２０に沿って走行させ、汚水処理槽３の外部に移動させる。これにより、水中ミキサ２の据付作業は完了する。
【００３４】
なお、水中ミキサ２のメンテナンスの際には、上述の手順と逆の手順によって、水中ミキサ２を汚水処理槽３の内部から引き上げ、汚水処理槽３の外部に移動させる。
【００３５】
以上のように、本実施形態に係る据付装置１は、第１横梁４が汚水処理槽３の側壁３Ａ，３Ｂの上面に固定されることにより、汚水処理槽３の水面上の箇所で固定されている。したがって、汚水処理槽３の水面下の箇所に固定具を取り付ける必要がないので、据付装置１の設置に際して、水面下における工事は不要となる。そのため、据付装置１を設置する際に、汚水処理槽３内の水を排出する必要はなく、汚水処理槽３の清掃も不要である。したがって、据付装置１を容易に設置することができる。
【００３６】
水中ミキサ２を支持する支柱１２を昇降レールとして利用することができるので、水中ミキサ２の吊り上げ又は吊り下げの際に、水中ミキサ２が揺動することを防止することができる。その結果、水中ミキサ２の据付及びメンテナンス作業を容易に行うことができる。
【００３７】
水中ミキサ２を支持板１４の上に置くだけで、水中ミキサ２を所定の位置に簡単に据え付けることができる。すなわち、水中ミキサ２を支柱１２に沿って吊り下げるだけの簡単な作業によって、水中ミキサ２を所定位置に正確に据え付けることが可能となる。
【００３８】
簡易クレーン３０を第１横梁４のガイドレール２０に沿って走行させるだけの簡単な作業により、汚水処理槽３の外側の待機位置５０（図１参照）から平板６の開口７の位置（つまり、据付位置の真上の位置）にまで、水中ミキサ２を容易に移動させることができる。そのため、水中ミキサ２を汚水処理槽３の外側から開口７の位置にまで移動させるための専用の吊り上げ支柱は不要となる。したがって、据付装置の小型化を図ることができる。
【００３９】
簡易クレーン３０の移動範囲が大きいため、水中ミキサ２の据付又はメンテナンスの作業性を向上させることができる。
【００４０】
また、吊り上げ支柱を用いて移動させる場合と異なり、簡易クレーン３０に搭載された水中ミキサ２はガイドレール２０に沿って一方向に直線移動するだけなので、作業者は水中ミキサ２の動きを容易に把握することができ、作業性及び安全性が向上する。
【００４１】
また、ガイドレール２０は断面が凹形状に形成されているので、簡易クレーン３０のキャスター３３はガイドレール２０から脱落しにくい。そのため、簡易クレーン３０の脱落を効果的に防止することができ、据付又はメンテナンス作業を容易に行うことができる。また、安全性が向上する。
【００４２】
第１横梁４は、支柱１２並びに水中ミキサ２を支える構造材としての機能と、簡易クレーン３０を案内するガイド部材としての機能とを発揮するので、梁とガイドレールとを別々の部材で形成する場合に比べて、部品点数の削減を図ることができる。
【００４３】
なお、上記実施形態では、水中撹拌機として水中ミキサ２を用いていたが、据付装置１によって据え付けられる水中撹拌機は、水中ミキサ２に限定されるものではない。水中撹拌機は、エアレータ等であってもよい。
【００４４】
平板６は必ずしも必要ではなく、平板６を省略することも可能である。また、平板８がなくても作業者が所定の作業を実行できる場合には、平板８を省略してもよい。
【００４５】
第１横梁４のガイドレール２０は水路１０の全幅にわたって形成されているので、簡易クレーン３０を水路１０の全幅にわたって自由に移動させることができる。したがって、据付位置を任意の位置に設定することができる。
【００４６】
ガイドレール２０は、第１横梁４の一部のみに設けられていてもよい。ガイドレール２０が汚水処理槽３の一方の側壁３Ａから据付位置の真上の位置にまで設けられている限り、前述の効果を得ることができる。
【００４７】
簡易クレーン３０の構成は前述の構成に限らず、種々の変形が可能である。また、簡易クレーン３０の走行手段はキャスターに限らず、ローラー等であってもよい。簡易クレーン３０とガイドレール２０とが互いに摺動自在な係合手段を備え、簡易クレーン３０はガイドレール２０上を摺動しながら移動するものであってもよい。
【００４８】
据付装置１の設置対象となる汚水処理槽は、循環型の汚水処理槽３に限定されず、他の型式の汚水処理槽であってもよい。汚水処理の方法は、オキシデーションディッチ法に限定されるものではない。据付装置１の第１横梁４は、汚水処理槽の側壁間に架け渡されていなくてもよく、一方の側壁にのみ固定され、片持ち状態で支持されていてもよい。
【００４９】
図８（ａ）に示すように、汚水処理槽には開口４０が形成された蓋４１が設けられ、第１横梁４は開口４０を跨ぐように横方向に架け渡されていてもよい。また、図８（ｂ）に示すように、第１横梁４は開口４０の縁部に沿って設けられていてもよい。
【００５０】
なお、第１横梁４のみで水中ミキサ２を支持できる場合には、第２横梁５を省略することも可能である。
【産業上の利用可能性】
【００５１】
以上説明したように、本発明は、水中ミキサを汚水処理槽に据え付けるための据付装置等について有用である。
【図面の簡単な説明】
【００５２】
【図１】据付装置の正面図である。
【図２】据付装置の側面図である。
【図３】据付装置の平面図である。
【図４】据付装置の斜視図である。
【図５】汚水処理槽の斜視図である。
【図６】第１横梁の断面図である。
【図７】簡易クレーンの側面図である。
【図８】（ａ）及び（ｂ）は、それぞれ据付装置の取付態様の変形例を示す平面図である。
【図９】従来の据付装置の斜視図である。
【符号の説明】
【００５３】
１          据付装置
２          水中ミキサ（水中撹拌機）
３          汚水処理槽
３Ａ，３Ｂ  汚水処理槽の側壁
４          第１横梁
５          第２横梁
６          平板
７          開口
１２        支柱
１３        水面
１４        支持台（支持部材）
２０        ガイドレール
２１        ガイド部材
４０        開口
４１        蓋
【図１】
2005081239.tif 000003
【図２】
2005081239.tif 000004
【図３】
2005081239.tif 000005
【図４】
2005081239.tif 000006
【図５】
2005081239.tif 000007
【図６】
2005081239.tif 000008
【図７】
2005081239.tif 000009
【図８】
2005081239.tif 000010
【図９】
2005081239.tif 000011